【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
走行台車の上面に設けられた垂直の支持部材、基端部側が支持部材に嵌合すると共に他端部側が水平方向に延在する台座、この台座乃至支持部材に亘って配設された台座昇降用駆動手段、台座の上面に固定的に載置されかつ前面に集光レンズを有する受光部、受光部で得られた測定車両のランプ情報を演算処理する制御装置、制御装置で処理された情報を表示する表示装置とを備えたヘッドライトテスターに於いて、前記表示装置は薄型画面タイプの表示装置１０であり、該表示装置１０を有する支持アーム９を、該表示装置１０が前記受光部６の筐体６ａの前部側の上方に所定間隙を有するように前記ヘッドライトテスターＸに取り付け、前記支持アーム９は、少なくとも、その基端部が前記ヘッドライトテスターＸに固定的に取り付けられる基端部側の垂直部分９ａと、この垂直部分の上端部に連設する折り曲げ部分９ｂと、この折り曲げ部分の先端部に水平方向に延在する水平部分９ｃとを有し、前記水平部分９ｃと前記薄型画面タイプの表示装置１０の間には、該表示装置１０を左右・上下方向に回動させることができる角度調整手段が介在していると共に、該表示装置１０と制御装置とを電気的に接続する信号線が、前記支持アーム９に沿うように配設されていることを特徴とするヘッドライトテスター。
【請求項２】
請求項１に於いて、表示装置１０は、受光部の集光レンズ１２の略上方に位置するように配設されていることを特徴とするヘッドライトテスター。
【請求項３】
請求項１に於いて、信号線は支持アーム９に固定された長尺状のカバー体に包まれた状態で、かつ、支持アーム９に沿うように固定されていることを特徴とするヘッドライトテスター。
【請求項４】
請求項１に於いて、支持アームの基端部には、台座の上面に固定された取付けベース板、この取付けベース板と直交するように基端部の一側面に固定された補強板が一体的に設けられていることを特徴とするヘッドライトテスター。
【手続補正２】
【補正対象書類名】明細書
【補正対象項目名】全文
【補正方法】変更
【補正の内容】
【発明の詳細な説明】
【発明の名称】ヘッドライトテスター
【技術分野】
【０００１】
本発明は、受光部と測定車両との車両正対並びに測定車両のランプの中心と受光部の光軸中心とを一致させランプの照射方向や光度を測定するヘッドライトテスターに関する。
【背景技術】
【０００２】
特許文献１（特に、図１と図２）及び特許文献２（特に、図１３）には、走行台車、走行台車の上面に設けられた垂直の支持部材、基端部側が支持部材に嵌合すると共に他端部側が水平方向に延在する台座、この台座乃至支持部材に亘って配設された台座昇降用駆動手段、台座の上面に固定的に載置されかつ前面に集光レンズを有する受光部、受光部で得られた測定車両のランプ情報を演算処理する制御装置、制御装置で処理された情報を表示する表示装置とを備えたヘッドライトテスターに於いて、前記表示装置は、前記垂直支持部材の上端部に固定的に設置されている事項がそれぞれ開示されている。
【０００３】
これらの特許文献１や特許文献２に記載されているヘッドライトテスターの表示装置は、垂直支持部材の上端部に固定的に設置されている、箱型タイプのモニターである、上下・左右方向に角度調整不可である、画面が小さい等の理由から幾つか改良すべき問題点があった。
【０００４】
ところで、近年、表示装置の表示画面が大型化、かつ薄型化している。例えば液晶やプラズマと称される表示装置或はシート状の有機ＥＬディスプレイがそれである。そこで、現在、薄型画面タイプの表示装置をヘッドライトテスターにも活用すべきことが要望されている。その際、位置的に作業性が良いこと、受光部の姿勢に影響を与えないこと、意匠上の美観に優れていると共に見易いこと、安価であること等の事情を考慮して、ヘッドライトテスター全体中の合理的な場所に表示装置を配設するのが望まれる。
【０００５】
なお、特許文献３には、本願発明の構成の一部に関係があるモニターテレビ用スタンドの一例が記載されている。この特許文献３の具体的な構成に関する説明は割愛するが、表示装置（モニターテレビ）の背面側に設けられたスタンドは、表示装置用の支持板と、この支持板の背面に固定的に設けられた杆状スタンド本体と、このスタンド本体の先端部に設けられた非球面状のボールジョイントを備えている点に特徴がある。
【特許文献１】特開平８−３３８７８８号公報
【特許文献２】特開２００２−１４００７号公報
【特許文献３】特開２００１−１０７９４３号公報
【発明の開示】
【発明が解決しようとする課題】
【０００６】
本発明の所期の目的は、薄型画面タイプの表示装置をヘッドライトテスター全体中の合理的な場所に配設することである。特に、ヘッドライトテスターは、レール上を走行する走行台車、該走行台車の上面に立設された垂直支持部材、該垂直支持部材及び台座を介して昇降動する受光部を構成要素とすることから、位置的に作業性が良いこと、意匠上の美観に優れていると共に見易いこと、受光部の姿勢に影響を与えないこと等の主な事情を考慮したヘッドライトテスターを提供することである。
【課題を解決するための手段】
【０００７】
本発明のヘッドライトテスターは、走行台車の上面に設けられた垂直の支持部材、基端部側が支持部材に嵌合すると共に他端部側が水平方向に延在する台座、この台座乃至支持部材に亘って配設された台座昇降用駆動手段、台座の上面に固定的に載置されかつ前面に集光レンズを有する受光部、受光部で得られた測定車両のランプ情報を演算処理する制御装置、制御装置で処理された情報を表示する表示装置とを備えたヘッドライトテスターに於いて、前記表示装置は薄型画面タイプの表示装置１０であり、該表示装置１０を有する支持アーム９を、該表示装置１０が前記受光部６の筐体６ａの前部側の上方に所定間隙を有するように前記ヘッドライトテスターＸに取り付け、前記支持アーム９は、少なくとも、その基端部が前記ヘッドライトテスターＸに固定的に取り付けられる基端部側の垂直部分９ａと、この垂直部分の上端部に連設する折り曲げ部分９ｂと、この折り曲げ部分の先端部に水平方向に延在する水平部分９ｃとを有し、前記水平部分９ｃと前記薄型画面タイプの表示装置１０の間には、該表示装置１０を左右・上下方向に回動させることができる角度調整手段が介在していると共に、該表示装置１０と制御装置とを電気的に接続する信号線が、前記支持アーム９に沿うように配設されていることを特徴とする。
【０００８】
ここで、「薄型画面タイプの表示装置」とは、表示画面が大型化かつ薄型化しており、液晶やプラズマの表示装置、或はシート状有機ＥＬディスプレイ、或はまたこれに類するものを言う。
【発明の効果】
【０００９】
（ａ）例えば基台に相当する台座から延在し、かつ上端部が角度方向に折れ曲がった支持アームを用いているので、受光部の上方の空間を十分に利用することができる。その結果、支持アームの上端部に「薄型画面タイプの表示装置」を取り付けることができる。
（ｂ）表示装置は受光部の筐体の前部側の上方に所定間隙を有するように配設されているので、作業の邪魔にならない共に、測定者は受光部や操作部の近くで表示装置の表示画面（しかも、大画面で）を見ることができることから、非常に見易いと共に操作性が良い。
（ｃ）表示装置を受光部の筐体或は操作部の操作ボックスに直に設けていないので、表示装置の重量が受光部に加味されないばかりでなく、表示装置を左右・上下方向に幅広く角度調整をすることが可能となる。特に、表示装置がある程度の重量がある場合に於いて、表示装置の重量が受光部の姿勢（測定誤差の発生）に影響を与えるというような懸念を解消することができる。
（ｄ）その他、表示装置を支える部品点数が少ないので、コスト高にならない、意匠上の美観に優れている、表示装置を所望する方向に設定できる等の効果もある。
【発明を実施するための最良の形態】
【００１０】
以下、図１乃至図１６に示す本発明を実施するための最良の形態により説明する。
【００１１】
（１）概論―車両正対
図１は平面視からの概略説明図、図２は正面図、図３は左側面図、図４は制御装置を中心とする電気的な概略説明図である。
【００１２】
さて、図１で示す測定車両Ｖのヘッドライト（以下、「ランプ」という）ＬＡは、１０メートル前方での光度と光軸（バルブ）のぶれ角を測定することが道路運送車両の保安基準で定められているが、スペース上の制約から、通常はヘッドライトテスターＸを構成する受光部の集光レンズ１２で集光して、測定車両ＶのランプＬＡ前方１０ｍの相似配光を影像スクリーン（配光スクリーン）に移して測定している。
【００１３】
そのために、ヘッドライトテスターＸは、走行台車２の上方に受光部６を備え、該受光部の前面には、ランプＬＡの照射光を集光するための収束用集光レンズ１２が設けられ、その内部後方にＸＹ方向の基準となる投影手段（投影スクリーン）１３等が設けられている。
【００１４】
ヘッドライトテスターＸの受光部６は、床面に敷設されたレール１、レールを滑動する走行台車２、台車上の垂直の支持部材（例えば２本の垂直支柱）３に設けられた台座昇降用手段（手動ハンドルを含む又は駆動モータを含む台座昇降用駆動手段）５等によって、所定方向（例えば左右方向、前後方向、上下方向、加えて垂直軸周り）へと間接的、直接的に可動する。したがって、受光部６は、測定時、図１で示すように測定車両Ｖに正対させることができる。
【００１５】
（２）発明の実施の環境
まず、図１乃至図３を参照にして、発明の実施の環境を説明する。なお、細部的な事項は図面及びその説明を割愛する。
【００１６】
１は床面に敷設されたレールである。このレールは測定作業ベイの床面に平行に設けられ、測定車両Ｖは、レール１に対して直交するように床面に停止する。２はレール上を左右に走行する走行台車で、この走行台車２は下面に滑車を有している。
【００１７】
３は走行台車の上面の一端部寄りの部位に立設された複数本の垂直支持部材で、これらの垂直支持部材３は、例えば台車２の上面の左端寄りの部位に長板状の取付けベース板を介して前後方向に合計２本立設されている。
【００１８】
４は基端部側が支持部材３に摺接嵌合すると共に、他端部側が水平方向に延在する台座である。この台座４の基端部の前面には、台座昇降用駆動手段５を構成する操作ハンドル５ａが設けられている。特に図示しないが、台座昇降用駆動手段（台座用移動装置とも称される）５が手動式の場合には、台座４の基端部側には、歯車及び駆動チェーンが設ける。歯車は基端部の嵌合筒に回転自在に内装され、また、駆動チェーンは走行台車２と垂直支持部材３の上端部に設けた上部ボックス３ａ側に配設され、操作ハンドル５ａの操作力（駆動力）により横長状の台座４が昇降動する。
【００１９】
一方、台座昇降用駆動手段５が自動式の場合には、前記操作ハンドル５ａの箇所に駆動モータを横設し、この駆動モータの出力軸にピニオンを設けると共に、ピニオンに噛合するラックを垂直支持部材３の主たる支柱に沿って固定的に配設する。この場合、台座４は駆動モータの駆動力により垂直支持部材３に沿って昇降動する。このように台座昇降用駆動手段５は台座乃至支持部材に亘って配設されている。
【００２０】
６は台座４の上面に固定的に載置され、かつ前面に集光レンズ１２を有する受光部である。この受光部６の内部構造の一例は、図４に示す通りである。
【００２１】
７は受光部６の筐体の上面６ａに固定的に設けられ操作ボックスを有する操作部である。この操作部７の傾斜状の前面パネル７ａには、複数個の操作ボタンが配設されている。８は操作部７の一側壁に配設された車両正対ファインダーである。
【００２２】
９は基端部が前記台座に固定され、一方、上端部が角度方向に折れ曲がった支持アームで、この支持アーム９は、例えば角パイプであり、具体的な構成は後述する通りである。
１０は支持アーム９の上端部に受光部６の筐体の上面６ａの前部側の上方の空間領域に所定間隙２３を有して取り付けられた薄型画面タイプの表示装置である。
【００２３】
本発明の一実施例では、上端部が角度方向に折れ曲がった支持アーム９の基端部を昇降動する台座４に固定し、支持アーム９の上端部に前記表示装置１０を前記受光部６の上方に所定間隙２３を有して取り付けている。付言すると、薄型画面タイプの表示装置１０は、受光部６の筐体の上面６ａの前部側の上方の空間領域に所定間隙２３を有して配設されている。
【００２４】
次に、図４を参照にして、制御装置１６を中心とする電気的な部材を説明する。図４に於いて、ＬＡは測定車両のランプ（ヘッドライト）、６はランプに正対した受光部、１２は光学系の集光レンズ、１３は投影手段（投影スクリーンとか、配光スクリーンと称されている）、１４は投影スクリーン１３の後方に配設された撮像手段（例えばＣＣＤカメラ）、１５は信号変換手段、１６は受光部で得られた測定車両のランプ情報を演算処理する制御装置、１７は記憶部、そして、７は外部から制御装置１６に信号を入力するための操作パネル、キーボード等操作部、１０は制御装置で処理された情報を表示する画面タイプの表示装置である。
【００２５】
なお、制御装置１６は受光部６に直接又は間接的に設けられている。また、撮像手段１４の構成に関して、実施例によっては、投影スクリーン１３を用いないで、単数又は複数個の撮像手段のみを用いても良い。換言すれば、受光部６の内部に設置された投影スクリーンを省略して、測定車両のランプＬＡから照射される光を集光する集光レンズ１２から、いわばダイレクトに前記撮像手段１４にランプ像を取得させても良い。
【００２６】
また、受光部６の内部の構成は本発明の限定要件ではないから、ハーフミラー、反射鏡、センサー等光学系の部材を適宜に内設しても良いことはもちろんである。
【００２７】
（３）発明の要部
図５乃至図１０は、発明の要部を示す。図５は全体の斜視図、図６乃至図８は支持アーム９のみの正面図、左側面図及び平面図である。また、図９乃至図１１は支持アーム９の上端部に薄型の表示装置１０を、ボールジョイントを含む角度調整手段３１を介して取付けた正面図、左側面図及び平面図である。
【００２８】
まず、図６を基準にして支持アーム９の構成を説明する。支持アーム９は角柱状の垂直部分９ａと、この垂直部分９ａの上端部に弧状に連設する折り曲げ部分９ｂと、この折り曲げ部分９ｂの先端部に水平方向に延在する水平部分９ｃと、前記垂直部分９ａの基端部（支持アームの基端部）に固定された水平の取付けベース板９ｄと、この取付けベース板９ｄと直交するように該基端部の一側面に一体的に固定された補強板９ｅとから成り、前記水平部分９ｃには、所要間隔を有して複数個（例えば２個）の角度調整手段用の取付け孔２０が形成されている。また、前記取付けベース板９ｄにも複数個の取付け小孔２１が形成されている。
【００２９】
しかして、図９乃至図１１で示すように、支持アーム９の水平部分９ｃの前壁には、後述するボールジョイントを含む角度調整手段３１を介して薄型画面タイプ（例えばノートパソコンやハイビジョンタイプの液晶モニターなど）の表示装置１０が取付けられ、一方、支持アーム９の基端部は、図示しない固着具、溶接等の固定手段を用い、かつ取付けベース板９ｄを介して垂直支持部材３と受光部６の間に相当する台座４の上面に固定される。
【００３０】
その結果、図２で示すように、この種のヘッドライトテスターに於いて、比較的大画面の表示装置１０が、受光部６の筐体の上面６ａ或いは操作部７の操作ボックスの上面７ａの上方に所定間隙２３を有して位置付けられる。
【００３１】
本実施例では、液晶モニターとしての表示装置１０の大画面１０ａは、受光部６の集光レンズ１２により大きいか、又は若干小さい。付言すると、大画面１０ａの横幅は集光レンズ１２のそれよりも多少小さいが、大画面１０ａの縦幅は集光レンズ１２のそれよりも多少大きい。このように、表示装置１０の大きさに関しては、垂直支持部材３の垂直側壁（図２では右側の側面）と受光部６の上面６ａ或いは操作部７の上面７ａの間の空間を有効的に活用することができる。
【００３２】
（４）角度調整手段
支持アーム９の上端部の前面と表示装置１０の裏側には、該表示装置１０を左右・上下方向に回動させることができるボールジョイントを有する角度調整手段３１が介在している。
【００３３】
図１５及び図１６を参照にして角度調整手段３１の構成を説明する。図１５及び図１６に於いて、３２は表示装置１０の背面に固定的に取り付けられる第１取付け部材である。一方、３３は支持アーム９の水平部分９ｃの前面に固定的に取り付けられる第２取付け部材である。
【００３４】
しかして、前記第１取付け部材３２は、表示装置１０の背面中央部に複数個の第１固着具３４を介して固着される矩形状のベース材３５と、このベース板３５の横向凹所状の嵌合部３５ａの背面に不番の固着具を介して固着されるチャンネル形状の支持腕部分３６と、この支持腕部分３６の先端部に一体的に設けられた或は一体に成形され、かつ仮想線で示したボールジョイント用の包容室を有するハウジング部分３７と、このハウジング部分３７の外面から半径方向に所定量突出する短筒状の螺合部３８と、内端部がこの螺合部３８に螺合すると共に、外端部に摘み部分を有する固定手段としての操作杆３９とから成る。
【００３５】
一方、前記第２取付け部材３３は、支持アーム９の水平部分９ｃの前面に第２固着具４１を介して固定的に取り付けられる単数（本実施例）又は複数の矩形状固定ベース４０と、この固定ベース４０の前面に不番の固着具を介して固定され、かつ、短杆の先端部に仮想線のボールジョイント４３を一体的に有する保持椀４２とから構成されている。
【００３６】
上記構成に於いて、図１４で示すように、表示装置１０の角度を任意に設定したい場合には、操作杆３９を緩め、手で表示装置１０を所望の角度に動かし、しかる後に、操作杆３９を締めると、その内端部がボールジョイント４３に圧接するので、表示装置１０を任意の角度に設定することができる。なお、角度調整手段３１の構成に関しては、特許文献３に記載のような構成も採用することができる。
【００３７】
（５）信号線と電源コード
図１２及び図１３で示すように、表示装置１０と制御装置１６とを電気的に接続する信号線２５と、表示装置用の電源コード２６が、支持アーム９に沿うように該支持アーム９に設けられている。本実施例では、信号線２５及び電源コード２６は、オスホック・メスホックを有する開閉可能な長尺状のカバー体２７に不番のコネクター部分を除き包まれている。なお、信号線２５及び電源コード２６を収納した前記長尺状のカバー体２７は、ヘッドライトテスターの正面視から極力見えないように支持アーム９の背面側に隠れるように取り外し可能に固定されている。
【実施例】
【００３８】
発明の実施の形態で示した実施例に於いて、薄型画面タイプの表示装置には、液晶やプラズマの表示装置の他にシート状有機ＥＬディスプレイも含まれるが、表示装置がシート状有機ＥＬディスプレイの場合には、次のように構成されている。すなわち、可撓性の矩形状ＥＬ素子シートと、該ＥＬ素子シートを挟持する内外の矩形状保持板とで表示部を形成し、前記表示部の裏側支持板の略中央部に突起状支持部を設け、該突起状支持部の包容部分を角度調整手段のボールジョイントに包むように、かつ固定手段を介して装着するのが望ましい。
【００３９】
また、支持アーム９は、本実施例では断面角形状のパイプを用いているが、断面円形状のパイプを用いても良い。さらに、表示装置用の電源コード２６等が長尺状のカバー体２７に包まれ、かつ支持アーム９の背面側に隠れるように配設されているが、設計如何によっては、中空状の支持アーム９の中に通しても良い。
【産業上の利用可能性】
【００４０】
本発明は、主にヘッドライトテスターを使用する自動車の整備業界で利用される。
【図面の簡単な説明】
【００４１】
図１乃至図１６は本発明の一実施例を示す各説明図。
【図１】車両正対時の平面視からの概略説明図。
【図２】正面視からの概略説明図。
【図３】図２を基準にした左側面図。
【図４】制御装置を中心とする電気的な概略説明図。
【図５】全体の斜視図。
【図６】支持アーム９の正面図。
【図７】支持アーム９の左側面図。
【図８】支持アーム９の平面図。
【図９】支持アーム９に表示装置１０を取付けた正面図。
【図１０】図９を基準にした左側面図。
【図１１】図９を基準にした平面図。
【図１２】支持アームに対する信号線、電源コードの配設状態を示す概略説明図。
【図１３】表示装置に対する信号線、電源コードの接続状態を示す概略説明図。
【図１４】表示装置を上下方向並びに左右方向に角度調整した旨の概念図。
【図１５】角度調整手段の外観構成を示す斜視からの説明図（表示装置の角度が相違する例）。
【図１６】角度調整手段の外観構成を示す斜視からの説明図。
【符号の説明】
【００４２】
Ｖ…測定車両、ＬＡ…ヘッドライト（ランプ）、Ｘ…ヘッドライトテスター、１…レール、２…走行台車、３…垂直の支持部材、４…台座、５…台座昇降用駆動手段、５ａ…操作ハンドル、６…受光部、６ａ…筐体の上面、７…操作部、７ａ…操作ボックスの上面、８…車両正対ファインダー、９…支持アーム、９ａ…垂直部分、９ｂ…折り曲げ部分、９ｃ…水平部分、９ｄ…取付けベース板、９ｅ…補強板、１０…表示装置、１０ａ…表示装置１０の大画面、１２…集光レンズ、１３…投影手段、１４…撮像手段、１５…信号変換手段、１６…制御装置、１７…記憶部、２３…所定間隔、２０…角度調整手段用の取付け孔、２１…支持アーム用の取付け小孔、２５…信号線、２６…電源コード、２７…カバー、３１…角度調整手段、４３…ボールジョイント。